(57)【要約】【課題】ブラシの使い勝手を向上させ得る電気掃除機用ホースを提供する。【解決手段】ホース２は、電気掃除機の吸引延長管４を接続するためのハンドル３を一端に備えると共に、他端が電気掃除機本体１の吸引口に接続される。ホース２の一端には、同軸的に固定された筒状の接続部材６と、接続部材６の先端開口縁から前方に向かって突出したブラシ７とが設けられている。一方、ハンドル３の他端にはホース接続口９が設けられ、ホース接続口９の内周にはブラシ７を収納可能な環状のブラシ収納溝１１が設けられている。また、ホース接続口９には、接続部材６を着脱自在にロックするロック手段１３が設けられている。【選択図】図２
0003128401.tif 000002
【実用新案登録請求の範囲】
【請求項１】
電気掃除機の吸引延長管を接続するためのハンドルを一端に備えると共に、他端が電気掃除機本体の吸引口に接続される電気掃除機用ホースにおいて、
前記ホースの一端に同軸的に固定した筒状の接続部材と、
前記接続部材の先端開口縁から前方に向かって突出したブラシと、
前記ハンドルのホース接続口の内周に環状に形成したブラシ収納溝と、
前記接続部材を前記ハンドルのホース接続口に着脱自在にロックするロック手段と、
を備えることを特徴とする電気掃除機用ホース。
【請求項２】
前記接続部材の外周面に、環状の窪み部を形成したことを特徴とする請求項１に記載の電気掃除機用ホース。
【請求項３】
前記ハンドルのホース接続口内に、前記ブラシ収納溝を外周側に形成すると共に吸引路を内周側に形成し、かつ前記接続部材のロック状態で先端が前記接続部材の内周まで延在する内筒部を設けたことを特徴とする請求項１又は２に記載の電気掃除機用ホース。
【請求項４】
前記接続部材のロック状態で、前記ハンドルが周方向に回転自在とされていることを特徴とする請求項１〜３の何れか一項に記載の電気掃除機用ホース。
【考案の詳細な説明】
【技術分野】
【０００１】
本考案は電機掃除機用ホースに関する。
【背景技術】
【０００２】
電気掃除機には、部屋のコーナー部分や窓の桟等を掃除するのに好適なブラシ付ノズルが装備される場合がある。このようなブラシ付ノズルは、アタッチメントとして常時は電気掃除機本体に収納され、必要に応じて、ハンドルや、ハンドルに接続される吸引延長管の一端に取り付けて使用されている。しかしながら、かかる構成では、電気掃除機本体にブラシ付ノズルの収納スペースが必要で電気掃除機本体が大型化するばかりでなく、ブラシ付ノズルの使用に際しては、その都度電気掃除機本体から取り出し・収納を行わなければならず取り扱いが面倒であった。
【０００３】
そこで、例えば実開昭６１−８９３６０号公報には、一端に拡大テーパ部が設けられた吸引延長管の外周に、ブラシ付アタッチメントが摺動自在に装着された構成が開示されている。かかる構成では、吸引延長管に接続される他の吸引延長管あるいは床用吸引具を取り外し、前記拡大テーパ部にアタッチメントを係合させることによりブラシを使用状態にすることができる。そのため、電気掃除機本体の大型化を回避することが、また、ブラシを簡便に使用することが可能となる。
【０００４】
また、上記の問題点を解消し得る他の構成として、例えば特開２０００−１９７５９４号公報には、ハンドル等の一端に回動自在なブラシ付アタッチメントが固定された構成が開示されている。かかる構成では、ハンドルの一端に接続される吸引延長管等を取り外し、ブラシ付アタッチメントを回動させることによりブラシが使用可能となる。
【考案の開示】
【考案が解決しようとする課題】
【０００５】
しかしながら、上記の従来構成では、ブラシ（ブラシ付アタッチメント）が、比較的大きくて重いハンドルや延長管の先端に取り付けられるため、ブラシの操作性が悪く、部屋のコーナー部分等の掃除を綺麗に行うことができないという問題がある。また、実開昭６１−８９３６０号公報の構成では、延長管の外周側に不自然に突出したブラシカバーが設けられ、特開２０００−１９７５９４号の構成ではブラシの非使用時であってもブラシが露出状態にあるため、掃除機の意匠性を損なうおそれもある。
【０００６】
本考案は上記の問題点に鑑みてなされたものであり、その課題とするところは、部屋のコーナー部分等を掃除する際に用いるブラシの使い勝手が良好な電気掃除機用ホースを提供することにある。
【課題を解決するための手段】
【０００７】
上記課題を解決するため、本考案では、電気掃除機の吸引延長管を接続するためのハンドルを一端に備えると共に、他端が電機掃除機本体の吸引口に接続される電機掃除機用ホースにおいて、ホースの一端に同軸的に固定した筒状の接続部材と、接続部材の先端開口縁から前方に向かって突出したブラシと、ハンドルのホース接続口の内周に環状に形成したブラシ収納溝と、接続部材をハンドルのホース接続口に着脱自在にロックするロック手段と、を備えることを特徴とする電気掃除機用ホースを提供する。なお、ここでいう「ハンドル」とは、吸引路が内周に形成され、掃除の際に人が手で把持するグリップや、電気掃除機の電源スイッチなどを含む筒状部材のことである。
【０００８】
上記のように、本考案にかかる電気掃除機用ホースでは、ホースの一端に固定された筒状の接続部材の先端開口縁にブラシが設けられている。ホースは、一般にハンドルや延長管に比べて軽量かつ柔軟性に優れ、フレキシブルに動作させることが可能である。従って、ハンドルや延長管の先端にブラシを設けた従来構成に比べ、ブラシの操作性を格段に向上させることができ、より円滑に掃除を行うことが可能となる。
【０００９】
また、ハンドルのホース接続口には、内周に環状のブラシ収納溝が設けられると共に、接続部材を着脱自在にロックするロック手段が設けられているから、ブラシの非使用時においてホースとハンドルとが分離（離脱）するのを確実に防止することができる一方で、ロック状態を解除してハンドルからホースを取り外すだけでブラシを使用することができる。また逆にハンドルのホース接続口にホースを接続するだけでブラシを収納することができる。つまり本考案の構成では、ブラシのワンタッチ使用、ワンタッチ収納が可能であるから、ブラシの使用に際し、ブラシ（ブラシ付ノズル）の付け替えやスライド等の手間を省くことができ、ブラシの使い勝手を格段に高めることができる。またブラシの非使用時において、ブラシはハンドル内に収納することができるから、掃除機本体の大型化を回避できるのはもちろんのこと、電気掃除機の意匠性を損なう事態を回避することができる。
【００１０】
筒状接続部材の外周面には、環状の窪み部を設けることができる。窪み部は、把手として使用することができ、ブラシの操作性を一層良好にすることができる。
【００１１】
上記の構成に加え、ハンドルの接続口内には、ブラシ収納溝を外周側に形成すると共に吸引路を内周側に形成し、かつ、接続部材のロック状態で、先端が接続部材の内周まで延在する内筒部を設けることができる。かかる構成とすることにより、ブラシの非使用時（ホースとハンドルの接続時）に吸引中のゴミがブラシに付着するのを防止することができ、従ってブラシの非使用時においてゴミの吸引力が低下するのを回避することができる。
【００１２】
上記の構成において、ハンドルは、接続部材のロック状態で周方向に回転自在とすることができる。かかる構成とすれば、ハンドル操作によるホースのねじれを防止することができ、使い勝手を一層向上することができる。
【考案の効果】
【００１３】
以上より、本考案にかかる電機掃除機用ホースであれば、ブラシの操作性を向上させることができることに加え、ブラシのワンタッチ使用ができるから、ブラシの使い勝手を格段に向上させることができ、特に部屋のコーナー部分等の掃除を一層手軽に行うことができる。また、非使用時においてはブラシをハンドル内に収納することができるから、掃除機本体の大型化を回避できることはもちろんのこと、電気掃除機の意匠性が損なわれるのを回避することができる。
【考案を実施するための最良の形態】
【００１４】
以下、本考案の実施形態を図１〜図３に基づいて説明する。
【００１５】
図１は、本考案にかかるホースを備えた電気掃除機の一例を示す斜視図である。同図に示す電気掃除機は、電気掃除機本体１（以下「本体１」と称す）と、一又は複数の吸引延長管４（以下「延長管４」と称す）を接続するためのハンドル３を一端に備えると共に、他端が本体１の吸気口に接続されたホース２と、延長管４に接続された床用吸引具５とを備える。図示する形態において、本体１とホース２、ハンドル３と延長管４、および延長管４と床用吸引具５は、それぞれ着脱自在に接続されているが、本体１とホース２とは固定式の場合もある。なお、以下でいう「先端側」とは床用吸引具５の側、「基端側」とは本体１の側のことである。
【００１６】
図２（ａ）（ｂ）に示すように、ホース２の先端はハンドル３、詳しくは、ハンドル３の基端側に設けられるホース接続口９に着脱自在に接続され、ホース２の先端には筒状の接続部材６が同軸的に固定されている。この接続部材６は、例えば樹脂材料で形成され、先端側から順に、ブラシ固定部６ａと、窪み部６ｂと、ホース固定部６ｃとを備えている。窪み部６ｂは、接続部材６の全外周に亘って断面円弧形状に形成されている。ホース固定部６ｃには、例えば、接着、圧入等適宜の手段によってホース２が固定されている。
【００１７】
接続部材６のブラシ固定部６ａの先端開口縁には、前方に向かって突出するようにブラシ７が植設されている。ブラシ７は、ブラシ固定部６ａの先端開口縁の全周に亘って連続的あるいは間欠的に植設され、本実施形態では間欠的に（所定間隔で）植設されている。
【００１８】
ハンドル３は、例えば、樹脂材料で形成され、先端側に延長管４を接続するための延長管接続口８を備えると共に、基端側にホース２を接続するためのホース接続口９を備え、これらの内周に吸引路１２を形成している。延長管接続口８の基端側には、外径側に張り出したグリップが一体的に設けられている。ホース接続口９の内周には、図２（ｃ）に示すように、吸引路１２を内周側に形成し、環状のブラシ収納溝１１を外周側に形成する内筒部１０が設けられている。本実施形態において内筒部１０は、図２（ａ）および図３に示すハンドル３とホース２の接続状態で、先端が接続部材６（の窪み部６ｃ）内周側まで延在するように設けられている。
【００１９】
ハンドル３には、筒状接続部材６をホース接続口９に着脱自在に接続（ロック）するロック手段１３が設けられている。本実施形態におけるロック手段１３は、ホース接続口９の外周面よりも外径側に突出した第１突起１３ａと、ホース接続口９の内径側に突出し、接続部材６のホース固定部６ｃの基端に係合する第２突起１３ｂとを備えている。つまり、第１突起１３ａは、ホース固定部６ｃに係合する第２突起１３ｂの係合状態を解除する解除ボタンとして機能する。図示例のロック手段１３は、ホース２の分離状態でも第２突起１３ｂがホース接続口９内に突出するようにして、例えば、中心に巻きバネが挿入されてホース接続口９（ハンドル３）に固定されている。第２突起１３ｂの基端側内周縁はテーパ面に形成されており、接続部材６の円滑な挿入性は確保されている。第２突起１３ｂの内周面は図２（ｃ）に示すように平滑な円弧面状に形成されており、接続部材６のロック状態で、ハンドル３は周方向に回転自在である。
【００２０】
以上に説明した本考案の構成では、ハンドル３や延長管４に比べて軽量かつ柔軟性に富み、フレキシブルに動作可能なホース２の先端に接続部材６が設けられ、この接続部材６の先端縁にブラシ７が設けられている。従って、従来構成に比べてブラシ７の操作性を格段に向上させることができ、より円滑に掃除を行うことができる。なお、接続部材６の外周面には環状の窪み部６ｂが全外周に亘って設けられ、この窪み部６ｂは接続部材６（ブラシ７）の把手として使用することができるから、ブラシ７の操作性は一層良好になる。
【００２１】
また、ハンドル３のホース接続口９には、環状のブラシ収納溝１１が設けられると共に、ロック手段１３が設けられ、接続部材６（ホース２）が着脱自在にロック可能であるから、ブラシ７の非使用時においてホース２とハンドル３とが離脱するのを確実に防止することができる一方で、ロック状態（係合状態）を解除してハンドル３からホース２を取り外すだけでブラシ７を使用することができる。また逆に、ハンドル３のホース接続口９内にホース２を接続するだけでブラシ７を収納することができる。すなわち、上記構成とすることにより、ブラシ７のワンタッチ使用、ワンタッチ収納が可能となり、ブラシ７の使用に際して従来構成で必要であったブラシ（ブラシ付ノズル）の付け替え・スライド等の手間を省くことができ、ブラシ７の使い勝手を格段に高めることができる。また、ブラシ７の非使用時においてブラシ７はハンドル３の内周に収納されるため、本体１の大型化を回避できるのはもちろんのこと、掃除機の意匠性を損なうといった事態も回避することができる。
【００２２】
また、ハンドル３のホース接続口９内には、ブラシ収納溝１１を外周側に形成する内筒部１０が設けられ、この内筒部１０はホース２とハンドル３の接続状態、すなわち接続部材６のロック状態で接続部材６の内周まで延在するように設けられているので、ブラシ７の非使用時（収納状態）において、吸引路１２を通るゴミがブラシ７に付着するのを防止することができ、ゴミの吸引力が低下するのを回避することができる。
【００２３】
また、ハンドル３は、接続部材６のロック状態で周方向に回転自在であるから、ハンドル操作に伴ってホース２がねじれるのを防止することができ、ハンドル３（掃除機）の使い勝手を向上させることができる。また、ハンドル３が周方向に回転自在であれば、ハンドル３を周方向に回転させて、ロック解除ボタンとしての第１突起１３ａを見やすくすることが容易に行い得る。従って、ハンドル３の取り外し、すなわちブラシ７の使用を一層簡便に行うことができる。
【００２４】
以上、本考案の一実施形態について説明を行ったが、本考案は前述した実施形態に何ら限定されるものでなく、本考案の要旨を逸脱しない範囲において、さらに種々なる形態で実施し得ることは勿論のことである。本考案の範囲は、実用新案登録請求の範囲によって示され、さらに実用新案登録請求の範囲に記載の均等の意味、および範囲内の全ての変更を含む。
【図面の簡単な説明】
【００２５】
【図１】本考案にかかるホースを用いた電気掃除機の一例を示す斜視図である。
【図２】（ａ）図はホースとハンドルの接続状態を示す図、（ｂ）図はホースとハンドルの分離状態を示す図、（ｃ）図は（ｂ）図のＡ−Ａ断面図である。
【図３】図２（ａ）の一部断面図である。
【符号の説明】
【００２６】
１      本体（電気掃除機本体）
２      ホース
３      ハンドル
４      延長管（吸引延長管）
６      接続部材（筒状接続部材）
６ｂ    窪み部
７      ブラシ
９      ホース接続口
１０    内筒部
１１    ブラシ収納溝
１３    ロック手段
【図１】
0003128401.tif 000003
【図２】
0003128401.tif 000004
【図３】
0003128401.tif 000005